(57)【要約】【課題】端末側装置とセンタ側装置との間の通信状態に影響を及ぼす情報を端末側装置から簡易かつ正確にセンタ側装置に通知することができるテレメータシステム、テレメータシステムの制御方法及びプログラムを提供する。【解決手段】センタ側装置１２が、端末側装置１０に所定の計測結果情報を要求するための要求信号を送信すると、端末側装置１０の端末側制御部２０は、計測部１６から計測結果情報を取得し、通信部１８を介してセンタ側装置１２に、当該計測結果情報をショートメッセージサービス等を利用して送信する。センタ側装置１２の通信部２２が計測結果情報を受信すると、センタ側制御部２６は、受信した計測結果情報を記憶部２４に格納する。また、必要に応じて端末側装置１０とセンタ側装置１２との間の通信状態を管理者へ通知する。【選択図】図１
2007172488.tif 000002
【特許請求の範囲】
【請求項１】
中央集中監視を行うセンタ側装置と、
前記センタ側装置に通信回線を介して接続された端末側装置と、
を含むテレメータシステムであって、
前記端末側装置は、
所定の計測対象項目を計測する計測手段と、
所定時刻が到来したときに前記センタ側装置から送信され、前記計測手段の計測結果情報を要求する旨を示す識別情報が含まれる要求信号を受信すると、前記センタ側装置との通信の接続処理時または切断処理時に前記計測結果情報を前記センタ側装置に送信する通信手段と、
を備えることを特徴とするテレメータシステム。
【請求項２】
中央集中監視を行うセンタ側装置と、
自動販売機に設けられ、前記センタ側装置に通信回線を介して接続されて、前記自動販売機の稼働情報を前記センタ側装置に通知する端末側装置と、
を含むテレメータシステムであって、
前記端末側装置は、
所定の計測対象項目を計測する計測手段と、
前記自動販売機の扉が開閉されたときに、前記計測手段の計測結果情報を前記センタ側装置に送信する通信手段と、
を備えることを特徴とするテレメータシステム。
【請求項３】
請求項２記載のテレメータシステムにおいて、前記端末側装置の通信手段は、前記自動販売機の扉が開閉したときの代わりに、前記自動販売機の稼働情報の通知が正常に終了したときに、前記計測手段の計測結果情報を前記センタ側装置に送信することを特徴とするテレメータシステム。
【請求項４】
請求項２記載のテレメータシステムにおいて、前記端末側装置の通信手段は、前記自動販売機の扉が開閉したときの代わりに、通知指示ボタンが押下されたときに前記計測手段の計測結果情報を前記センタ側装置に送信することを特徴とするテレメータシステム。
【請求項５】
請求項２記載のテレメータシステムにおいて、前記端末側装置の通信手段は、前記自動販売機の扉が開閉したときの代わりに、前記自動販売機の稼働情報等の通知の通信品質が所定レベル以下となったときに前記計測手段の計測結果情報を前記センタ側装置に送信することを特徴とするテレメータシステム。
【請求項６】
請求項１から請求項５のいずれか一項記載のテレメータシステムにおいて、前記センタ側装置は、前記計測手段の計測結果に基づいて管理者へ通信状態を通知するか否かを判断することを特徴とするテレメータシステム。
【請求項７】
請求項１から請求項６のいずれか一項記載のテレメータシステムにおいて、前記通信手段は、前記計測結果情報を、ショートメッセージサービスを利用して送信することを特徴とするテレメータシステム。
【請求項８】
中央集中監視を行うセンタ側装置と、
前記センタ側装置に通信回線を介して接続された端末側装置と、
を含むテレメータシステムの制御方法であって、
前記端末側装置が、
所定の計測対象項目を計測するステップと、
所定時刻が到来したときに前記センタ側装置から送信され、計測結果情報を要求する旨を示す識別情報が含まれる要求信号を受信すると、前記センタ側装置との通信の接続処理時または切断処理時に前記計測結果情報を前記センタ側装置に送信するステップと、
を実行することを特徴とするテレメータシステムの制御方法。
【請求項９】
中央集中監視を行うセンタ側装置と、
前記センタ側装置に通信回線を介して接続された端末側装置と、
を含むテレメータシステムの制御プログラムであって、
前記端末側装置が、
所定の計測対象項目を計測し、
所定時刻が到来したときに前記センタ側装置から送信され、計測結果情報を要求する旨を示す識別情報が含まれる要求信号を受信すると、前記センタ側装置との通信の接続処理時または切断処理時に前記計測結果情報を前記センタ側装置に送信する処理を実行することを特徴とするテレメータシステムの制御プログラム。
【発明の詳細な説明】
【技術分野】
【０００１】
本発明は、遠隔地にある各種施設を監視、制御するテレメータシステム、テレメータシステムの制御方法及びプログラムに関する。
【背景技術】
【０００２】
従来より、遠隔地にある各種施設を監視し、制御するためにテレメータシステムが使用されている。テレメータシステムでは、遠隔地にある各種施設に端末側装置（子局）を設置し、この端末側装置から中央で集中監視を行うセンタ側装置（親局）に各種監視対象情報を送信する構成となっている。
【０００３】
例えば、下記特許文献１には、専用回線を用い、中央で監視制御対象施設を監視制御するテレメータシステムにおいて、親局と子局との間に通信異常が発生した場合に、自動的に再起動する構成が開示されている。
【特許文献１】特開２０００−２４２３２９号公報
【発明の開示】
【発明が解決しようとする課題】
【０００４】
しかし、上記従来の技術は、通信異常時に再起動を行うための構成であり、通信状態に関する情報を端末側装置からセンタ側装置に通知する構成となっておらず、通信状態の管理ができないという問題があった。
【０００５】
本発明は、上記従来の課題に鑑みなされたものであり、その目的は、端末側装置とセンタ側装置との間の通信状態に影響を及ぼす情報を端末側装置から簡易かつ正確にセンタ側装置に通知することができるテレメータシステム、テレメータシステムの制御方法及びプログラムを提供することにある。
【課題を解決するための手段】
【０００６】
上記目的を達成するために、本発明は、中央集中監視を行うセンタ側装置と、前記センタ側装置に通信回線を介して接続された端末側装置と、を含むテレメータシステムであって、前記端末側装置は、所定の計測対象項目を計測する計測手段と、所定時刻が到来したときに前記センタ側装置から送信され、前記計測手段の計測結果情報を要求する旨を示す識別情報が含まれる要求信号を受信すると、前記センタ側装置との通信の接続処理時または切断処理時に前記計測結果情報を前記センタ側装置に送信する通信手段と、を備えることを特徴とする。
【０００７】
上記構成によれば、端末側装置とセンタ側装置との間の通信状態に影響を及ぼす情報を端末側装置から簡易かつ正確にセンタ側装置に通知することができる。
【０００８】
また、本発明は、中央集中監視を行うセンタ側装置と、自動販売機に設けられ、前記センタ側装置に通信回線を介して接続されて、前記自動販売機の稼働情報を前記センタ側装置に通知する端末側装置と、を含むテレメータシステムであって、前記端末側装置は、所定の計測対象を計測する計測手段と、前記自動販売機の扉が開閉されたときに、前記計測手段の計測結果情報を前記センタ側装置に送信する通信手段と、を備えることを特徴とする。
【０００９】
ここで、上記端末側装置の通信手段は、前記自動販売機の扉が開閉したときの代わりに、前記自動販売機の稼働情報の通知が正常に終了したときに、前記計測手段の計測結果情報を前記センタ側装置に送信することを特徴とする。
【００１０】
また、上記端末側装置の通信手段は、前記自動販売機の扉が開閉したときの代わりに、通知指示ボタンが押下されたときに前記計測手段の計測結果情報を前記センタ側装置に送信することを特徴とする。
【００１１】
また、上記端末側装置の通信手段は、前記自動販売機の扉が開閉したときの代わりに、前記自動販売機の稼働情報等の通知の通信品質が所定レベル以下となったときに前記計測手段の計測結果情報を前記センタ側装置に送信することを特徴とする。
【００１２】
また、上記センタ側装置は、前記計測手段の計測結果に基づいて管理者へ通信状態を通知するか否かを判断することを特徴とする。
【００１３】
また、上記通信手段は、前記計測結果情報を、ショートメッセージサービスを利用して送信することを特徴とする。
【００１４】
また、本発明は、中央集中監視を行うセンタ側装置と、前記センタ側装置に通信回線を介して接続された端末側装置と、を含むテレメータシステムの制御方法であって、前記端末側装置が、所定の計測対象項目を計測するステップと、所定時刻が到来したときに前記センタ側装置から送信され、計測結果情報を要求する旨を示す識別情報が含まれる要求信号を受信すると、前記センタ側装置との通信の接続処理時または切断処理時に前記計測結果情報を前記センタ側装置に送信するステップと、を実行することを特徴とする。
【００１５】
また、本発明は、中央集中監視を行うセンタ側装置と、前記センタ側装置に通信回線を介して接続された端末側装置と、を含むテレメータシステムの制御プログラムであって、前記端末側装置が、所定の計測対象項目を計測し、所定時刻が到来したときに前記センタ側装置から送信され、計測結果情報を要求する旨を示す識別情報が含まれる要求信号を受信すると、前記センタ側装置との通信の接続処理時または切断処理時に前記計測結果情報を前記センタ側装置に送信する処理を実行することを特徴とする。
【発明を実施するための最良の形態】
【００１６】
以下、本発明を実施するための最良の形態（以下、実施形態という）を、図面に従って説明する。
【００１７】
図１には、本発明にかかるテレメータシステムの構成図が示される。図１において、端末側装置１０とセンタ側装置１２とは、無線回線１４を介して接続されている。なお。無線回線の代わりに有線回線であってもよい。
【００１８】
上記端末側装置１０は、計測部１６、通信部１８及び端末側制御部２０を含んで構成されている。
【００１９】
計測部１６は、所定の計測対象項目を計測する処理を実行する。この計測対象項目には、例えばセンタ側装置１２との間の通信品質及び端末側装置１０の動作状態等のセンタ側装置１２との通信状態に影響を及ぼす項目が含まれる。上記通信品質としては、例えば電界強度、通信不能または通信切断の発生の有無、他の通信の干渉の有無等がある。また、端末側装置１０の動作状態としては、端末側装置１０に電力を供給する電池の残量、動作エラーの発生の有無等がある。また、計測部１６は、例えば端末側装置１０が自動販売機に設置されている場合には、自動販売機の売上数量等の稼働情報を取得するように構成してもよい。
【００２０】
通信部１８は、公知の方法によりセンタ側装置１２と通信して携帯通信端末としての通話機能を実現している。
【００２１】
端末側制御部２０は、ＣＰＵ（中央処理装置）を含んで構成され、上記計測部１６及び通信部１８とデータのやり取りを行いながらこれらの動作を制御する。
【００２２】
また、センタ側装置１２は、通信部２２、記憶部２４、センタ側制御部２６及び計時部２８を含んで構成されている。
【００２３】
通信部２２は、公知の方法により端末側装置１０と通信して、所望の情報を受信する機能を実現している。この情報には、例えば本実施形態にかかる端末側装置１０が自動販売機に設置されている場合は自動販売機の売り上げ等の稼働情報及び上記計測部１６の計測結果情報等が含まれる。
【００２４】
記憶部２４は、例えばセンタ側制御部２６の作業用のＲＡＭ、不揮発性メモリとしてのフラッシュメモリ、磁気記憶媒体等で構成されており、上記端末側装置１０のアドレス情報、電話番号、端末側装置１０から取得した計測部１６の計測結果情報及び稼働情報等を格納する。
【００２５】
センタ側制御部２６は、ＣＰＵ（中央処理装置）を含んで構成され、上記通信部２２、記憶部２４及び計時部２８とデータのやり取りを行いながらこれらの動作を制御する。
【００２６】
計時部２８は、公知の方法によりセンタ側制御部２６が使用する時刻情報を発生する。
【００２７】
図２には、上記センタ側装置１２の動作例のフローが示される。また、図３には、上記端末側装置１０の動作例のフローが示される。図２及び図３では、センタ側装置１２からの要求に応じて端末側装置１０から計測結果情報を送信する際の動作例が示されている。
【００２８】
図２において、計時部２８が発生する時刻情報に基づき、所定の情報確認時刻になると（Ｓ１）、センタ側制御部２６は、記憶部２４から端末側装置１０の電話番号を取得し、端末側装置１０の計測部１６が計測した所定の計測結果情報を要求するための要求信号を送信する（Ｓ２）。なお、インターネット経由で上記要求信号を送信する場合には、電話番号の代わりに端末側装置１０のアドレス情報を使用する。この要求信号には、端末側装置１０が設置された装置の稼働情報を送受信する通常の信号とは異なる信号であることを識別するための識別情報（マーカ）を付加した信号を使用する。要求信号の発信には、例えばＵＵＩ（ユーザ間情報通知）等を利用することができる。
【００２９】
図３において、端末側装置１０の通信部１８がセンタ側装置１２からの着信を検知すると（Ｓ１１）、端末側制御部２０が、着信の内容を解析し、上記要求信号であるか否かを確認する（Ｓ１２）。
【００３０】
Ｓ１２において、着信信号が上記要求信号であると判断すると、端末側制御部２０は、計測部１６から計測結果情報を取得し、通信部１８を介してセンタ側装置１２に計測結果情報を送信する（Ｓ１３）。この計測結果情報の送信処理は、例えばショートメッセージサービスを利用して行えば、通信コストを削減できる。計測結果情報の送信処理が終了すると、通信部１８は、通信を切断する（Ｓ１４）。なお、上記計測結果情報の送信は、通信部１８による通信の接続処理時または切断処理時に実行してもよい。これにより、通信の接続時または切断時にも情報を送ることができるので、より多くの情報を送ることができる。
【００３１】
なお、Ｓ１２において、着信信号が要求信号ではないと判断した場合には、稼働情報を要求する通常の着信であると判断し、所定の稼働情報をセンタ側装置１２に送信する処理を実行する（Ｓ１５）。
【００３２】
ここで図２に戻り、以上の図３に示された端末側装置１０の動作により、センタ側装置１２の通信部２２が計測結果情報を受信すると（Ｓ３）、センタ側制御部２６は、受信した計測結果情報を記憶部２４に格納する（Ｓ４）。
【００３３】
次に、センタ側制御部２６は、受信した計測結果情報に基づき、端末側装置１０とセンタ側装置１２との間の通信状態を判断し、管理者への通知が必要か否かを判断する（Ｓ５）。この判断は、端末側装置１０とセンタ側装置１２との通信状態に影響を及ぼす項目に基づいて実行される。具体的には、電界強度が低下した回数、通信不能となった回数、通信切断の発生回数、他の通信の干渉を回避するためのハンドオーバ処理の実行回数等が所定の閾値を超えているか否か、及び端末側装置１０の電池の残量、動作エラーの発生の有無等により判断を行う。なお、これらの通信状態に影響を及ぼす項目の情報は、上記計測結果情報に含まれている。
【００３４】
センタ側制御部２６は、管理者への通知が必要と判断したときには、端末側装置１０とセンタ側装置１２との間の通信状態を管理者に通知する（Ｓ６）。
【００３５】
一方、センタ側制御部２６は、Ｓ５において管理者への通知が不要と判断したときには、その他の処理が必要か否かを判断する（Ｓ７）。ここで、その他の処理とは、例えば要求信号の再送信による計測結果情報の取得処理の再トライ等である。
【００３６】
Ｓ７において、その他の処理を必要と判断すると、センタ側制御部２６は、当該処理を実行し（Ｓ８）、不要と判断した場合には、当該処理を実行せずに動作を終了する。
【００３７】
以上により、センタ側装置１２による計測結果情報の取得処理が実行される。センタ側装置１２により上述したＳ６の通知が管理者に対してなされると、管理者は端末側装置１０とセンタ側装置１２との間の通信状態を把握することができ、端末側装置１０の設置場所の変更の要否、メンテナンスの時期等を判断することができる。これにより、通常無人端末として動作する端末側装置１０の管理を適切に行うことができる。
【００３８】
また、端末側装置１０とセンタ側装置１２との間の通信をショートメッセージサービス等の電子メールにより行うことにより、着呼、オフフック、通話、オンフック等の状態遷移処理を行う必要がなくなるので、端末側装置１０及びセンタ側装置１２の構成が簡易化でき、通信時間の短縮化も図ることができる。
【００３９】
図４には、本発明にかかるテレメータシステムを自動販売機に適用した場合の説明図が示される。また、図５には、図４に示された適用例のブロック図が示される。
【００４０】
図４、図５において、清涼飲料等の自動販売機３０には、自動販売機制御部３２が設けられている。この自動販売機制御部３２は、本発明にかかる端末側装置１０を介して、図１に示されたセンタ側装置１２に、自動販売機３０の売り上げ情報等の稼働情報を定期的に送信する。
【００４１】
また、自動販売機３０には、扉３４の開閉を検出する開閉検出器３６が設けられており、扉３４の開閉を自動販売機制御部３２に通知する。
【００４２】
本実施形態においては、上記開閉検出器３６が扉３４の開閉を検出したことを自動販売機制御部３２が端末側装置１０に通知し、このタイミングで、計測部１６が計測した計測結果情報を通信部１８がセンタ側装置１２に送信する構成となっている。これにより、センタ側装置１２が、図２のＳ２で述べた要求信号を送信する必要がなくなり、通信時間の短縮化を図ることができる。
【００４３】
なお、上記計測結果情報の送信は、自動販売機３０の扉３４の開閉タイミングの代わりに、自動販売機制御部３２に通知指示ボタン３８を設け、担当者がこの通知指示ボタン３８を押圧したタイミングで実行してもよい。あるいは、上記計測結果情報の送信は、自動販売機３０の扉３４の開閉タイミングの代わりに、自動販売機３０の稼働情報の送信が正常に終了したとき、またはこの送信における通信品質が所定レベル以下となったタイミングで実行してもよい。これらのタイミング及び稼働情報の送信における正常終了または通信品質は、端末側装置１０の端末側制御部２０が判断する。このような構成により、通信時間の短縮化を図ることができる。
【００４４】
また、上記図４では、本発明にかかるテレメータシステムを自動販売機に適用した場合の例を説明したが、本発明はこれに限定されるものではなく、扉付の装置であれば、いずれも適用することができる。
【図面の簡単な説明】
【００４５】
【図１】本発明にかかるテレメータシステムの構成図である。
【図２】図１に示されたセンタ側装置の動作例のフロー図である。
【図３】図１に示された端末側装置の動作例のフロー図である。
【図４】本発明にかかるテレメータシステムを自動販売機に適用した場合の説明図である。
【図５】本発明にかかるテレメータシステムを自動販売機に適用した場合のブロック図である。
【符号の説明】
【００４６】
１０  端末側装置、１２  センタ側装置、１４  無線回線、１６  計測部、１８、２２  通信部、２０  端末側制御部、２４  記憶部、２６  センタ側制御部、２８  計時部、３０  自動販売機、３２  自動販売機制御部、３４  扉、３６  開閉検出器、３８  通知指示ボタン。
【図１】
2007172488.tif 000003
【図２】
2007172488.tif 000004
【図３】
2007172488.tif 000005
【図４】
2007172488.tif 000006
【図５】
2007172488.tif 000007